(57)【特許請求の範囲】
【請求項１】
建物の開口に設けられる上枠、下枠及び左右の縦枠からなる枠と、該枠内に開閉自在に設けられた障子とを備えた開口部装置であって、障子の戸先框と縦枠に相対向し且つ上下方向に連続した溝形部を設け、該溝形部は先端側内側面に長手方向に沿った一対の取付溝を有し、一方の溝形部に、弾力性を有する部材により形成されると共に障子閉鎖時に他方の溝形部内に入り込んで両溝形部間の隙間を覆う突条部材を設け、該突条部材は一方の溝形部における両取付溝に嵌合する一対の嵌合部と、一方の溝形部における両先端部を覆う一対の覆い部とを有し、他方の溝形部に、障子閉鎖時に上記突条部材の両側面部に摺接して突条部材との間を封止する室内外方向に分離独立した一対の気密部材を設け、各気密部材は他方の溝形部における片方の取付溝に嵌合する嵌合部と、他方の溝形部における片方の先端部を覆う弾力部とを有していることを特徴とする開口部装置。
【請求項２】
建物の開口に設けられる上枠、下枠及び左右の縦枠からなる枠と、該枠内に開閉自在に設けられ少なくとも中央部で突き合わされる合掌框を有する障子とを備えた開口部装置であって、上記障子の合掌框に相対向し且つ上下方向に連続した溝形部を設け、一方の溝形部に、弾力性を有する部材により形成されると共に障子閉鎖時に他方の溝形部内に入り込んで両溝形部間の隙間を覆う突条部材を設け、該突条部材は一方の溝形部における両取付溝に嵌合する一対の嵌合部と、一方の溝形部における両先端部を覆う一対の覆い部とを有し、他方の溝形部に、障子閉鎖時に上記突条部材の両側面部に摺接して突条部材との間を封止する室内外方向に分離独立した一対の気密部材を設け、各気密部材は他方の溝形部における片方の取付溝に嵌合する嵌合部と、他方の溝形部における片方の先端部を覆う弾力部とを有していることを特徴とする開口部装置。
【発明の詳細な説明】
【技術分野】
【０００１】
本発明は、開口部装置に係り、特に指詰め防止と水・気密性の向上を図った開口部装置に関するものである。
【背景技術】
【０００２】
開口部装置例えばサッシは、建物の開口に設けられる上枠、下枠及び左右の縦枠からなる枠と、この枠内に開閉自在に設けられた障子とを備えている。障子にはこれを閉鎖位置で施錠するためのクレセント錠が設けられている。そして、障子閉鎖時における上記縦枠と障子の戸先框との間の水・気密性の向上を図ると共に指詰めを防止するために、縦枠には戸当りゴムが取付けられ、戸先框には指詰め防止ゴムが取付けられている（特許文献１参照）。
【０００３】
戸当りゴムは、一対の戸当り部と、両戸当り部間に形成された断面略Ｖ字状の凹部とを有している。指詰め防止ゴムは、障子閉鎖時に上記戸当りゴムの一対の戸当り部に当接する一対の端部と、戸当りゴムの凹部に嵌合する断面略Ｖ字状の凸部とを有している。
【０００４】
【特許文献１】特開２０００−３０３７５０号公報
【発明の開示】
【発明が解決しようとする課題】
【０００５】
しかしながら、上記開口部装置においては、障子閉鎖時に戸当りゴムの一対の戸当り部と指詰め防止ゴムの一対の端部とを互いに突き合わせて水・気密性を確保する構造であるため、ゴムの反発でクレセント錠の施錠操作が重くなる傾向があると共に、枠の施工誤差等で縦枠が面内方向に太鼓状又は鼓状に撓み変形した場合、戸当りゴムの一対の戸当り部と指詰め防止ゴムの一対の端部との間に隙間が発生し、水・気密性が低下するおそれがある。
【０００６】
本発明は、上述した従来の技術が有する課題を解消し、障子閉鎖時の指詰めを防止できることは勿論、障子閉鎖時にクレセント錠の施錠操作が重くならず操作性の向上が図れると共に、枠の施工誤差等で縦枠が撓み変形した場合でも水・気密性を確保することができる開口部装置を提供することを目的とする。
【課題を解決するための手段】
【０００７】
本発明のうち、請求項１に係る発明は、建物の開口に設けられる上枠、下枠及び左右の縦枠からなる枠と、該枠内に開閉自在に設けられた障子とを備えた開口部装置であって、障子の戸先框と縦枠に相対向し且つ上下方向に連続した溝形部を設け、該溝形部は先端側内側面に長手方向に沿った一対の取付溝を有し、一方の溝形部に、弾力性を有する部材により形成されると共に障子閉鎖時に他方の溝形部内に入り込んで両溝形部間の隙間を覆う突条部材を設け、該突条部材は一方の溝形部における両取付溝に嵌合する一対の嵌合部と、一方の溝形部における両先端部を覆う一対の覆い部とを有し、他方の溝形部に、障子閉鎖時に上記突条部材の両側面部に摺接して突条部材との間を封止する室内外方向に分離独立した一対の気密部材を設け、各気密部材は他方の溝形部における片方の取付溝に嵌合する嵌合部と、他方の溝形部における片方の先端部を覆う弾力部とを有していることを特徴とする。
【０００８】
請求項２に係る発明は、建物の開口に設けられる上枠、下枠及び左右の縦枠からなる枠と、該枠内に開閉自在に設けられ少なくとも中央部で突き合わされる合掌框を有する障子とを備えた開口部装置であって、上記障子の合掌框に相対向し且つ上下方向に連続した溝形部を設け、一方の溝形部に、弾力性を有する部材により形成されると共に障子閉鎖時に他方の溝形部内に入り込んで両溝形部間の隙間を覆う突条部材を設け、該突条部材は一方の溝形部における両取付溝に嵌合する一対の嵌合部と、一方の溝形部における両先端部を覆う一対の覆い部とを有し、他方の溝形部に、障子閉鎖時に上記突条部材の両側面部に摺接して突条部材との間を封止する室内外方向に分離独立した一対の気密部材を設け、各気密部材は他方の溝形部における片方の取付溝に嵌合する嵌合部と、他方の溝形部における片方の先端部を覆う弾力部とを有していることを特徴とする。
【発明の効果】
【０００９】
請求項１に係る発明によれば、建物の開口に設けられる上枠、下枠及び左右の縦枠からなる枠と、該枠内に開閉自在に設けられた障子とを備えた開口部装置であって、障子の戸先框と縦枠に相対向し且つ上下方向に連続した溝形部を設け、該溝形部は先端側内側面に長手方向に沿った一対の取付溝を有し、一方の溝形部に、弾力性を有する部材により形成されると共に障子閉鎖時に他方の溝形部内に入り込んで両溝形部間の隙間を覆う突条部材を設け、該突条部材は一方の溝形部における両取付溝に嵌合する一対の嵌合部と、一方の溝形部における両先端部を覆う一対の覆い部とを有し、他方の溝形部に、障子閉鎖時に上記突条部材の両側面部に摺接して突条部材との間を封止する室内外方向に分離独立した一対の気密部材を設け、各気密部材は他方の溝形部における片方の取付溝に嵌合する嵌合部と、他方の溝形部における片方の先端部を覆う弾力部とを有しているため、障子閉鎖時の指詰めを防止できることは勿論、障子閉鎖時にクレセント錠の施錠操作が重くならず操作性の向上が図れると共に、枠の施工誤差等で縦枠が撓み変形した場合でも水・気密性を確保することができる。
【００１０】
請求項２に係る発明によれば、建物の開口に設けられる上枠、下枠及び左右の縦枠からなる枠と、該枠内に開閉自在に設けられ少なくとも中央部で突き合わされる合掌框を有する障子とを備えた開口部装置であって、上記障子の合掌框に相対向し且つ上下方向に連続した溝形部を設け、一方の溝形部に、弾力性を有する部材により形成されると共に障子閉鎖時に他方の溝形部内に入り込んで両溝形部間の隙間を覆う突条部材を設け、該突条部材は一方の溝形部における両取付溝に嵌合する一対の嵌合部と、一方の溝形部における両先端部を覆う一対の覆い部とを有し、他方の溝形部に、障子閉鎖時に上記突条部材の両側面部に摺接して突条部材との間を封止する室内外方向に分離独立した一対の気密部材を設け、各気密部材は他方の溝形部における片方の取付溝に嵌合する嵌合部と、他方の溝形部における片方の先端部を覆う弾力部とを有しているため、障子閉鎖時の指詰めを防止できることは勿論、障子閉鎖時にクレセント錠の施錠操作が重くならず操作性の向上が図れると共に、枠の施工誤差等で縦枠が撓み変形した場合でも水・気密性を確保することができる。
【発明を実施するための最良の形態】
【００１１】
以下に、本発明を実施するための最良の形態を添付図面に基いて詳述する。図１は本発明を障子４枚建てサッシに適用した第１の実施の形態を概略的に示す室内側正面図、図２は図１の縦断面図、図３は図１の横断面図である。
【００１２】
これらの図において、１は開口部装置として例示した障子４枚建タイプのサッシで、このサッシ１は、建築物の屋外開口部に取付けられる上枠２a、下枠２ｂ及び左右の縦枠２ｃ，２ｄからなる枠２と、該枠２内の室外側の両側部（両袖部）に嵌め殺し（フィックス）またはスライド開閉自在（図示例）に設けられた左右一対の外障子４と、枠２内の室内側の中央部に突合わせられてスライド開閉自在に設けられた左右一対の内障子３とを備えている。上枠２ａ、下枠２ｂ及び左右の縦枠２ｃ，２ｄは、例えばアルミ押出形材からなっている。
【００１３】
上記内障子３は、例えばアルミ押出形材からなる上框５ａ、下框５ｂ及び左右の縦框（内召合せ框と合掌框）５ｃ，５ｄからなる框５内にガラスパネル６を装着してなる。上記外障子４は、例えばアルミ押出形材からなる上框７ａ、下框７ｂ及び左右の縦框（内召合せ框と合掌框）７ｃ，７ｄからなる框７内にガラスパネル６を装着してなる。
【００１４】
上枠２ａの下面と下枠２ｂの上面とには内障子３，外障子４をそれぞれ開閉自在に支持するための上部レール８ａ，８ｂと下部レール９ａ，９ｂとが設けられている。上記内障子３の下框５ｂ及び外障子４の下框７ｂには下部レール９ａ、９ｂ上を走行する戸車１０，１０が取付けられている
外召合せ框７ｃには図示しないクレセント受け１１ａが設けられ、内召合せ框５ｃには障子閉鎖時に上記クレセント受け１１ａに係合させて施錠するためのクレセント錠１１が設けられている。内召合せ框５ｃと外召合せ框７ｃとの間には閉鎖時に互いに係合する煙返し部２９ａ，２９ｂが設けられていると共に、内召合せ框５ｃの室外面には外召合せ框７ｃの室内面に接してこれらの間を封止（シール）する例えば軟質樹脂製の縦気密材（召合せ縦気密材ともいう）１２が上下方向に設けられている。
【００１５】
上記内障子３の突合せ部である合掌框５ｄ、５ｄには相対向し且つ上下方向に連続した断面略Ｕ字状の溝形部１７、１７が設けられている。換言すれば、合掌框５ｄ、５ｄは、対向面（対向部）に上下方向に連続する溝部１３、１３ないし溝形部１７，１７を有する左右対称の断面形状とされている。溝形部１７は合掌框５ｄに一体形成されている。合掌框５ｄ、５ｄの対向面における室内外方向略中間部から室外側の部分には、溝部１３の両側壁を形成する一対の側片部１４，１４が突出形成されている。一対の側片部１４，１４の先端側内側面には気密材等を取付可能なポケット（取付溝）１６，１６がそれぞれ長手方向（図３の紙面垂直方向）に沿って形成されている。一対の側片部１４，１４の先端側は互いに漸次接近するようにテーパー状に形成されていることがデザイン的に好ましいが、単に平行に形成されていても良い。
【００１６】
一方（右側合掌框）の溝形部１７には、弾力性を有する部材例えばゴム又は軟質樹脂等により形成されると共に障子閉鎖時に他方の溝形部１７内に入り込んで両溝形部１７，１７間の隙間を覆う突条部材（主指詰め防止部材）１８が設けられ、他方（左側合掌框）の溝形部１７には、障子閉鎖時に上記突条部材１８の側面部（図示例では両側面部）に摺接して突条部材１８との間を封止する気密部材１５，１５が設けられている。突条部材１８を一方の溝形部１７に取付けるために、突条部材１８の基部には両ポケット１６に嵌合する嵌合部１８ａが形成されている。突条部材１８には両側片部１４，１４の先端部を覆う覆い部１８ｂが形成されている。突条部材１８は、指詰め防止効果ないし弾力性の向上を図るために内部に中空部１８ｃを有していることが好ましい。
【００１７】
気密部材１５は、ゴム又は軟質樹脂等からなり、ヒレ状に形成されていることが好ましい。気密部材１５の基部にはポケット１６に嵌合する嵌合部１５ａが形成されていると共に、両側片部１４，１４の先端部を覆う弾力部（補助指詰め防止部）１５ｂが形成されている。この弾力部１５ｂは、指詰め防止効果ないし弾力性の向上を図るために中空に形成されていることが好ましい。
【００１８】
障子閉鎖時において、左右の内障子３，３の合掌框５ｄ，５ｄ間の室内側には、手を挿入して内障子３を開操作（引き分け操作）し得る空間（凹溝）１９が設けられている。左右の内障子３，３の合掌框５ｄ，５ｄの室外面には凹状の引き手部２０が設けられている。
【００１９】
一方、合掌框５ｄの下部の気密構造は次のように構成されている。図４は一方の合掌框側の下部の構造を説明する斜視図、図５は他方の合掌框側の下部の構造を説明する斜視図、図６は障子閉鎖時の室内側下部気密構造を説明する斜視図である。上記下框２ｂには、内障子３の室内面下縁部との間を封止するための下枠気密材２１と、外障子４の室内面下縁部との間を封止するための下枠気密材２２とが長手方向（横方向、左右方向）に沿って設けられている（図２、図６参照）。内障子側の下枠気密材２１による気密構造と合掌框５ｄ、５ｄ間の気密構造とをつなげて気密性を向上させるために、次のような合掌框下部気密構造が採用されている。
【００２０】
図４ないし図５に示すように、合掌框５ｄ、５ｄにはその室内側側片部１４の下端部を切り欠いた切欠部２３ａ，２３ｂがそれぞれ設けられ、各切欠部２３ａ，２３ｂには表面が軟質樹脂製の気密ブロック２４ａ，２４ｂが取付けられ、図６に示すように左右の気密ブロック２４ａ，２４ｂが障子閉鎖時に互いに当接すると共に下枠気密材２１とも接触していて気密を確保するように構成されている。
【００２１】
各気密ブロック２４ａ，２４ｂには、下部レール９ａに対して内障子３の振れを規制する逆Ｕ字状の振れ止め部２５ａ，２５ｂが設けられている。突条部材１８の下端部は、気密ブロック２４ａ及び振れ止め部２５ａと干渉しないように切断され、その切断面（下端面）が気密ブロック２４ａ及び振れ止め部２５ａの上面に当接されている。突条部材側の気密ブロック２４ａ及び振れ止め部２５ａには、突条部材１８の覆い部１８ｂ及び突条部材１８の少なくとも室内側部分と対応する部分が面一状に形成されている。
【００２２】
水密性を確保するには框内部を外気圧と等圧にする必要があり、框内部に空気を取り入れるために、気密ブロック２４ａを有する振れ止め部２５ａには通気孔２６が設けられていることが好ましい。同様の理由により、他方の合掌框における室外側側片部１４のポケット１６に取付けられた気密部材１５及び弾力部１５ｂの下端部は切断され（図５参照）、そのポケット１６の下端部には振れ止め部２５ｂに一体的に設けられた下部気密材２７が嵌合され、弾力部１５ｂの切断箇所が空気取り入れ部３０とされている。なお、一方の合掌框５ｄには気密ブロック２４ａを有する振れ止め部２５ａがネジ２８ａで固定され、他方の合掌框５ｄには気密ブロック２４ｂを有する振れ止め部２５ｂがネジ２８ｂで固定されている。
【００２３】
外障子４の戸先框７ｄと縦枠２ｃ，２ｄにも、指詰め防止と水・気密性の向上を図るために、相対向し且つ上下方向に連続した溝形部１７，１７が設けられ、一方（戸先框側）の溝形部１７には、弾力性を有する部材により形成されると共に障子閉鎖時に他方の溝形部１７内に入り込んで両溝形部１７間の隙間を覆う突条部材１８が設けられ、他方（縦枠側）の溝形部１７には、障子閉鎖時に上記突条部材１８の側面部に摺接して突条部材１８との間を封止する気密部材１５が設けられている。
【００２４】
縦枠側の溝形部１７は、縦枠２ｃ，２ｄとは別体の溝形部材からなり、縦枠２ｃ、２ｄの内側面に着脱可能に取付けられている。図示例の溝形部材１７は、縦枠２ｄの内側面に当接される複数の脚片３１を有し、そのうちの１つの脚片３１の室外面と溝形部材１７の室内面とが縦枠２ｄの内側面に突設されたリブ３２，３３間に挟持されている。リブ３３には溝形部材１７との間を封止する縦気密材３４が設けられている。なお、突条部材１８及び気密部材１５の構成は、前記のものと同じであるため、同一符号を付して説明を省略する。
【００２５】
以上の構成からなるサッシ１によれば、建物の開口に設けられる上枠２ａ、下枠２ｂ及び左右の縦枠２ｃ，２ｄからなる枠２と、該枠２内に開閉自在に設けられ少なくとも中央部で突き合わされる合掌框５ｄ，５ｄを有する障子（内障子）３，３とを備え、上記障子３の合掌框５ｄ，５ｄに相対向し且つ上下方向に連続した溝形部１７，１７を設け、一方の溝形部１７に、弾力性を有する部材により形成されると共に障子閉鎖時に他方の溝形部１７内に入り込んで両溝形部１７，１７間の隙間を覆う突条部材１８を設け、他方の溝形部１７に、障子閉鎖時に上記突条部材１８の側面部に摺接して突条部材１８との間を封止する気密部材１５を設けているため、障子閉鎖時の指詰めを防止できることは勿論、障子閉鎖時にクレセント錠１１の施錠操作が重くならず操作性の向上が図れる。
【００２６】
また、同様に、障子（外障子）４の戸先框７ｄと縦枠２ｄに相対向し且つ上下方向に連続した溝形部１７，１７を設け、一方の溝形部１７に、弾力性を有する部材により形成されると共に障子閉鎖時に他方の溝形部１７内に入り込んで両溝形部１７，１７間の隙間を覆う突条部材１８を設け、他方の溝形部１７に、障子閉鎖時に上記突条部材１８の側面部に摺接して突条部材１８との間を封止する気密部材１５を設けているため、障子閉鎖時の指詰めを防止できることは勿論、障子閉鎖時にクレセント錠１１の施錠操作が重くならず操作性の向上が図れると共に、枠の施工誤差等で縦枠が撓み変形した場合でも水・気密性を確保することができる。
【００２７】
左右の合掌框５ｄは対向面に上下方向に連続する溝部１３ないし溝形部１７を有する左右対称の断面形状とされているため、左右の合掌框５ｄとして１種類の断面形状の形材（合掌框）を製造すれば良く、一方の合掌框と同じ形材を上下逆にするだけで他方の合掌框として使用することができ、部材（形材）の共通化により製造コストの低減が図れる。
【００２８】
一方の合掌框５ｄの溝部１３に突条部材１８を取付けておき、左右の合掌框５ｄの溝部１３に突条部材１８の側面部（側片部）との間を封止する気密部材１５をそれぞれ取付けているため、内障子３同士を突合せて閉鎖する場合に、一方の合掌框５ｄの突条部材１８が他方の合掌框５ｄの溝部１３に進入し、該溝部１３の気密材１５が突条部材１８の側面部に摺接して封止するようになり、気密材同士を突合せて押しつぶして封止する従来の気密構造と異なり、内障子３を軽い力で容易に閉鎖することができ、また、クレセント錠１１を軽い力で容易に施錠することができ、操作性の向上が図れる。
【００２９】
また、一方の合掌框５ｄの溝部１３に取付けた突条部材１８が他方の合掌框５ｄの溝部１３に入り込んでその突条部材１８の側面に気密材１５ａ，１５ｂが接しているため、左右の合掌框５ｄに太鼓状や鼓状等の反り変形を生じたとしても、気密性を確保することができる。
【００３０】
図７は本発明を障子２枚建てサッシに適用した第２の実施の形態を示す縦断面図、図８は同サッシの横断面図、図９は戸先框側の下部の構造を説明する斜視図、図１０は縦枠側の下部の構造を説明する斜視図、図１１は障子閉鎖時の室内側下部気密構造を説明する斜視図である。本実施の形態のサッシ１は、枠２内に内障子３と外障子４をスライド開閉自在に取付けてなる。
【００３１】
内障子３の戸先框５ｄと縦枠２ｄ、及び外障子４の戸先框７ｄと縦枠２ｃには、相対向し且つ上下方向に連続した溝形部１７，１７がそれぞれ設けられている。そして、一方（戸先框側）の溝形部１７には、弾力性を有する部材により形成されると共に障子閉鎖時に他方（縦枠側）の溝形部１７内に入り込んで両溝形部１７，１７間の隙間を覆う突条部材１８が設けられ、他方の溝形部１７には、障子閉鎖時に上記突条部材１８の側面部に摺接して突条部材１８との間を封止する気密部材１５が設けられている。なお、その他の詳細な構成は前記第１の実施の形態と同一のため、同一部分に同一参照符号を付して説明を省略する。本実施の形態のサッシにおいても、前記実施の形態と同様の作用効果を奏することができる。
【００３２】
以上、本発明の実施の形態ないし実施例を図面により詳述してきたが、本発明は前記実施の形態ないし実施例に限定されるものではなく、本発明の要旨を逸脱しない範囲での種々の設計変更が可能である。例えば、障子４枚建サッシの場合、枠内の両袖部に配置される外障子は嵌め殺しの固定障子であってもよい。また、障子２枚建サッシの場合、外障子は嵌め殺しの固定障子であってもよい。開口部装置としては、下枠フラットタイプのサッシ（ノンレールサッシともいう）であっても良い。
【図面の簡単な説明】
【００３３】
【図１】本発明を障子４枚建てサッシに適用した第１の実施の形態を概略的に示す室内側正面図である。
【図２】図１の縦断面図である。
【図３】図１の横断面図である。
【図４】一方の合掌框側の下部の構造を説明する斜視図である。
【図５】他方の合掌框側の下部の構造を説明する斜視図である。
【図６】障子閉鎖時の室内側下部気密構造を説明する斜視図である。
【図７】本発明を障子２枚建てサッシに適用した第２の実施の形態を示す縦断面図である。
【図８】同サッシの横断面図である。
【図９】戸先框側の下部の構造を説明する斜視図である。
【図１０】縦枠側の下部の構造を説明する斜視図である。
【図１１】障子閉鎖時の室内側下部気密構造を説明する斜視図である。
【符号の説明】
【００３４】
１  サッシ（開口部装置）
２  枠
２ａ  上枠
２ｂ  下枠
２ｃ，２ｄ  縦枠
３、４  障子
５ｄ，５ｄ  合掌框
５ｄ，７ｄ  戸先框
１５  気密部材
１７  溝形部
１８  突条部材
【図１】
0004739014.tif 000002
【図２】
0004739014.tif 000003
【図３】
0004739014.tif 000004
【図４】
0004739014.tif 000005
【図５】
0004739014.tif 000006
【図６】
0004739014.tif 000007
【図７】
0004739014.tif 000008
【図８】
0004739014.tif 000009
【図９】
0004739014.tif 000010
【図１０】
0004739014.tif 000011
【図１１】
0004739014.tif 000012